(57)【要約】【課題】スパイクを構成するホーン部分の形状を双曲線又は指数関数曲線を稜線に持つ回転曲面形状にすることにより、振動の抑制・除去効果をさらに改善する。【解決手段】  振動防止支持装置は筒状のスパイク受け３０と、そのスパイク受け３０に挿入され円柱部分４１および双曲線又は指数関数曲線を稜線に持つ回転曲面形状を有するホーン部分４２とを備えるスパイク４０とよりなり、スパイク４０の円柱部分４１の上面に被載置機器を載置するようにする。【選択図】図１
2010041641.tif 000002
【特許請求の範囲】
【請求項１】
スパイク受けと、該スパイク受けに挿入されるスパイクとよりなり、
前記スパイクは上側の円柱部分と双曲線又は指数関数曲線を稜線に持つ回転曲面形状を有する下側のホーン部分とで構成され、
前記スパイクの円柱部分の上面に被載置機器を載置することを特徴とする振動防止支持装置。
【請求項２】
前記ホーン部分は開口係数をｍとした場合に、先端部ＳＯの断面積Ｓｏに対して距離ｈ進んだホーンの開口部ＳＨでの断面積がＳｈ=Ｓｏ×ｅｘｐ{ｍｈ}で与えられ、先端部ＳＯから距離ｘでの断面積がＳｘ=Ｓｏ×ｅｘｐ{ｍｘ}で与えられる稜線の形状が指数関数となるイクスポーネンシャル型のホーンであることを特徴とする請求項１に記載の振動防止支持装置。
【請求項３】
前記開口係数ｍを変えることにより、ホーン部分の断面積の変化を変えることを特徴とする請求項２に記載の振動防止支持装置。
【請求項４】
前記開口部までの距離ｈを変えることにより、開口端部での反射特性を変え、スパイクの振動防止性能を変えることを特徴とする請求項２に記載の振動防止指示装置。
【請求項５】
前記スパイクは被載置機器が振動源を持つ場合には真鍮などの金属を用いたことを特徴とする請求項１に記載の振動防止支持装置。
【請求項６】
前記スパイクは被載置機器が振動源を有しない場合にはナイロン６など樹脂材料を用いたことを特徴とする請求項１に記載の振動防止支持装置。
【請求項７】
前記スパイクに同一のスパイクを重ね多段スパイク構造にしたことを請求項１に記載の振動防止支持装置。
【発明の詳細な説明】
【技術分野】
【０００１】
本発明は振動防止支持装置に関し、特に、オーディオ機器や顕微鏡などの精密機器を支持する振動防止支持装置に関する。
【背景技術】
【０００２】
オーディオ機器は電源トランスなどの振動源を内部に持っていたり、スピーカなどのように振動源を含んでいるため、機器内部に振動エネルギーが発生し、これらの振動が再生音に大きく影響して音質の劣化や音像定位に影響を与えている。こうした対策のひとつに、特許第３８４８９８７号公報に記載されるように、円錐型構造のスパイクがある。
【０００３】
図１２は、従来の円錐型構造のスパイクを用いた振動防止支持装置の構造を示す断面図である。円錐型構造のスパイクは筒状のスパイク受け１と、スパイク受け１に挿入される第１のスパイク１０と、第１のスパイク１０に重ねられる第２のスパイク２０と、スパイク受け１に入れられた液体３とよりなる。
【０００４】
第１のスパイク１０は上側の円柱部分１１と下側の円錐部分１２とで構成され、第２のスパイク２０は上側の円柱部分２１と下側の円錐部分２２とで構成され、円錐部分２２は第１のスパイク１０の円柱部分１１の上面で支持されている。そして、第２のスパイク２０の円柱部分２１の上面に振動を防止するスピーカなどの音響機器が載置される。
【０００５】
このように、円錐型構造のスパイクを多段構造にした振動防止支持装置がすでに実用化され、効果を発揮している。
【０００６】
また、顕微鏡や電子天秤などの精密測定機器は外部からの振動を遮断するために、前述した円錐形構造のスパイクを１段又は多段構造にした振動防止支持装置がすでに実用化され、効果を発揮している。
【特許文献１】特許第３８４８９８７号
【発明の開示】
【発明が解決しようとする課題】
【０００７】
これまでにある多くの振動防止支持装置は、主に、機器とベースの間に異種の素材を挟むことで振動特性を変化させ、音の変化を生じさせている。
【０００８】
しかし、積極的に機器の振動を除去するという観点からではなく、振動特性の変更による技術であり、一長一短を持っていた。
【０００９】
そこで、前述したように、振動除去の観点から円錐型構造のスパイクを１段又は多段構造にした振動防止支持装置が提案され、防振動効果を発揮している。
【００１０】
しかし、円錐型構造のスパイクを１段又は多段構造にした振動防止支持装置では、円錐形状内の波動伝播特性と端部での反射の影響により伝播特性に暴れが生じ、結果として白色雑音的ノイズは完全には除去されず、振動伝達特性が十分には改善されない。
【課題を解決するための手段】
【００１１】
本発明はこのスパイクの円錐形状ホーン部の形状を双曲線または指数関数曲線を持つようにすることにより、振動の抑制・除去効果をさらに改善するものであり、
筒状のスパイク受けと、該スパイク受けに挿入されるスパイクとよりなり、前記スパイクは上側の円柱部分と双曲線又は指数関数曲線を稜線に持つ回転曲面形状を有する下側のホーン部分とで構成され、前記スパイクの円柱部分の上面に被載置機器を載置すること振動防止支持装置を提供する。
【００１２】
また、本発明は前記ホーン部分が開口係数をｍとした場合に、先端部ＳＯの断面積Ｓｏに対して距離ｈ進んだホーンの開口部ＳＨでの断面積がＳｈ=Ｓｏ×ｅｘｐ{ｍｈ}で与えられ、先端部ＳＯから距離ｘでの断面積がＳｘ=Ｓｏ×ｅｘｐ{ｍｘ}で与えられる稜線の形状が指数関数となるイクスポーネンシャル型のホーンである振動防止支持装置を提供する。
【００１３】
更に、本発明は前記開口係数ｍを変えることにより、ホーン部分の断面積の変化を変える振動防止支持装置を提供する。
【００１４】
更に、本発明は前記ホーンの先端部から開口部までの長さｈにより開口部の開口角度を変えることにより端部での反射特性の改善が出来る振動防止支持装置を提供する。
【００１５】
更に、本発明のスパイクは被載置機器が振動源を持つ場合には真鍮などの金属を用いた振動防止支持装置を提供する。
【００１６】
本発明のスパイクは被載置機器が振動源を有しない場合にはナイロン６など樹脂系の材料を用いた振動防止支持装置を提供する。
【発明の効果】
【００１７】
本発明はスパイクのホーン部分を双曲線又は指数関数曲線を稜線に持つ回転曲面形状を有するイクスポーネンシャル型のホーンとしたので、スパイク内部の波動伝播特性の変動が抑制され、振動伝達特性が改善される。
【００１８】
しかも、開口係数ｍを変えることにより、稜線の形状が変化し、スパイク内部の波動伝播・遮断特性を変えることができる。更に、先端部から開口部までの長さｈにより開口部の広がり角度を変えることにより、開口端部での反射量を変えることができ、用途やスペースによって仕様を変更できる。
【００１９】
従って、本発明の振動防止支持装置をスピーカあるいはパワーアンプなどの音響機器の振動防止支持に用いた場合、スピーカから再生される左右の広がりや音像位置の上下感、前後の位置関係の明確さがはっきりして、楽器の音像位置が上下方向および前後の距離感において明確に認識できるとともに、録音環境における残響や細かな余韻、演奏者の息遣いなどこれまで再現できなかった詳細な音響情報まで認識できる。
【００２０】
本発明の振動防止支持装置をＤＶＤなど映像機器への応用した場合に、アンプやＣＤプレーヤと同様に多段にして支持することにより、映像のボケが軽減・解消された。
【００２１】
本発明の振動防止支持装置を顕微鏡に適用することにより、解像度の向上が見込まれる。さらに、精密測定機器の支持機構に用いることで精度の向上が見込まれる。
【００２２】
本発明の振動防止支持装置は、振動除去を手段として、電気信号レベルで雑音を押さえる働きに寄与していることによるもので、電気信号といえども、振動対策を十分に行えば、回路構成や素子の高精度化のみでは対処できない種種の要因による雑音抑制の問題解決が可能となる。
【発明を実施するための最良の形態】
【００２３】
図１は本発明に依る振動防止支持装置を説明する断面図であり、図２（Ａ）は本発明の
振動防止支持装置に用いたスパイク受けの平面図であり、図２（Ｂ）は本発明の振動防止支持装置に用いたスパイク受けの断面図であり、図３（Ａ）は本発明の振動防止支持装置に用いたスパイクの平面図であり、図３（Ｂ）は本発明の振動防止支持装置に用いたスパイクの断面図である。
【００２４】
図１に示すように、本発明の振動防止支持装置はスパイク受け３０とスパイク４０とよりなる。
【００２５】
図２（Ａ）（Ｂ）に示すように、スパイク受け３０は底部３２を有する円筒状の筒で構成され、内径はちょうどスパイク４０が挿入される大きさになっている。スパイク受け３０の底部３２の中央に円錐台形の窪み３３が設けられている。
【００２６】
図３（Ａ）（Ｂ）に示すように、スパイク４０は円柱部分４１と双曲線又は指数関数曲線を稜線に持つ回転曲面形状を有するホーン部分４２とよりなり、円柱部分４１の中心に多段にして使用するときに便利なように円錐台形の窪み４４を設けている。スパイク４０の円柱部分４１はＯリング４５でスパイク受け３０の内径に接している。ホーン部分４２の先端部はスパイク受け３０の底部３２にある窪み３３に嵌合し安定にしている。
【００２７】
図２（Ａ）および図２（Ｂ）に示すように、スパイク受け３０は外径=４０ｍｍ、高さ＝３８ｍｍ、底部３２の厚さ=６ｍｍ、底部３２の中央部にある窪み３３は深さ=1ｍｍ、内径=２７ｍｍ、内部深さ=３２ｍｍとし、内部を水で満たした。
【００２８】
スパイク４０の上部円柱部分４１の厚さもできる限り大きめにとり、開口部ＳＨが自然に広い空間につながって、反射を起こしにくくすることが必要である。基本的な考え方は、ホルンなど金管楽器の管内の空気による波動の伝播を、真鍮や樹脂による振動伝播に置き換えて、管楽器で音を出すときと同様に必要な十分広い空間と同じ状況を、上部円柱部分で確保する。さらに、開口端部での反射を十分抑制するため開口部の稜線の中心線に対する傾きは45度以上を確保することが望ましく、できる限り大きくとることが望ましい。
【００２９】
図３（Ａ）および図３（Ｂ）に示すように、スパイク３０は円柱部分４１の直径＝２５ｍｍ、円柱部分４１の高さ=９.８ｍｍ、先端部ＳＯの断面積Ｓｏ＝１．５４平方ミリメートル、開口部ＳＨの面積Ｓｈ＝１４８０平方ミリメートル、ホーン部分４２の高さ＝２５．２ｍｍの大きさとしている。
【００３０】
スパイク４０のホーン部分４２は稜線の形状が回転局面形状の中でも、指数関数となるイクスポーネンシャル型のホーン部分４２を有するスパイク４０を提案する。ホーン部分４２の先端部ＳＯ（のど）の断面積Ｓｏに対し、距離ｈ進んだホーンの開口部ＳＨ（口、開口）での断面積Ｓｈ=Ｓｏ×ｅｘｐ{ｍｈ}で与えられ、先端部ＳＯから距離ｘでの断面積Ｓｘ=Ｓｏ×ｅｘｐ{ｍｘ}で与えられる。
【００３１】
ホーン部分４２の稜線の形状（ホーンの広がり方）は開口係数ｍ値により変わる。開口係数ｍはホーン部分４２の断面積の変化の程度を表す定数で、開口係数ｍが大きいと早く広がり、小さいとゆっくりと広がるホーンとなる。特に、指数型のホーンでは遮断周波数を決める重要なパラメータである。従って、ホーン部分４２内の波動伝播・遮断特性もｍ値により変わる。従来の円錐形構造のホーンの場合、伝達特性は変化するものの、特定の遮断周波数はなくすべての周波数にわたって波動を伝播する。一方、本発明の回転曲面形状のホーン１２では、ｍ値と材質により遮断周波数ｆｃが存在し、ｆｃ以下の周波数の波動は伝達されず、遮断される。
【００３２】
図３（Ａ）および図３（Ｂ）ではホーン部分４２の口部での開き角は図１の例では４０°であるが、長さｈの増加を許せば、５０°以上に十分な開き角を持たせる方が、口部と外界とのインピーダンスマッチングが十分にでき、反射を抑制することができて特性を向上できる。
【００３３】
図４はインピーダンス特性図である。ホーン部分４２の先端部分ＳＯから開口部分ＳＨの方向を見たときのインピーダンスＺｏに対し、ホーン部分４２の開口部分ＳＨから反射断面ＳＯ方向を見たときのインピーダンスＺｈが約1/1000ほど小さく、振動の伝達率が高くなる特性を持っている。
【００３４】
尚、Ｒｅ[Ｚｏ]はＺｏの実数部、Ｉｍ[Ｚｏ]はＺｏの虚数部、Ｒｅ[Ｚｈ]はＺｈの実数部、Ｉｍ[Ｚｈ]はＺｈの虚数部である。
【００３５】
ホーン部分４２の開口部分ＳＨから先端部分ＳＯ方向を見たときのインピーダンスＺｈが約1/1000ほどであるから、外部からの振動は開口部分ＳＨから先端部分ＳＯには伝達されるが、先端部分ＳＯから開口部分ＳＨに伝達され難いことが分かる。
【００３６】
このことを示したのが図５で、本発明の双曲線又は指数関数曲線を稜線に持つ回転曲面形状のホーン部分４２の先端部ＳＯから開口部ＳＨへ向かう場合と開口部ＳＨから先端部ＳＯへ向かう場合の波動エネルギーの比較（Re[Z]/|Z|2、ｍ=200）である。波動エネルギーの伝達力は、先端部ＳＯの断面Ｓｏおよび開口部ＳＨの断面から見たインピーダンスの実数部と絶対値の二乗の比となる。
【００３７】
スパイク４０として材料には、振動源を持つ機器には真鍮など金属がよく、電源など振動源を持たない電子回路（例えば、ラインアンプなど）の場合、ナイロン6など樹脂系の材料が効果的である。
【００３８】
【表１】
2010041641.tif 000003
表１に示す値を用い、ナイロン６の物性値として、遮断周波数、反射断面および開口断面から見たインピーダンス、波動エネルギー伝達率などの算出を行った。
【００３９】
図５において、ホーン部分４２の先端部ＳＯの断面から開口部ＳＨの断面側へ向けての振動エネルギー伝達率は○印の曲線で示すように、□印の曲線で示す開口部ＳＨから先端部ＳＯの逆方向の振動エネルギー伝達率の１／１０００の大きさで、開口部ＳＨから先端部ＳＯへ向かうエネルギー伝播が大きく、振動除去に大きく貢献する特性を持つ。
【００４０】
また、図６には先端部ＳＯから開口部ＳＨの断面へ向かう場合[Ｐｗｅ／Ｐｗｃ［０］]と開口部ＳＨの断面から先端部ＳＯの断面へ向かう場合[Ｐｗｅ／Ｐｗｃ[ｈ]]のエネルギー伝達率について、従来の円錐型構造のホーン（Ｐｗｃ）と本発明に用いた双曲線又は指数関数曲線を稜線に持つ回転曲面形状のホーン部分４２（Ｐｗｅ）で比較した解析結果を示す。カットオフ周波数以上では、先端部ＳＯの断面から開口部ＳＨの断面に向けては波動エネルギーの伝達量は両者とも等しいが、開口部ＳＨの断面から先端部ＳＯの断面に向かう伝達は、◆の曲線で示すように従来の円錐型構造のホーン部分より■の曲線で示す本発明の指数関数型のホーン部分４２の方が約３倍伝達率が大きいことが示される。
【００４１】
図７は本発明の振動防止支持装置を用いた被載置機器を説明する側面から見た断面図であり、図８はその上面図である。
【００４２】
図７は被載置機器としてスピーカ５０を示している。スピーカ５０はトゥイータ５１とウーハ５２を有し、メインアンプから入力信号によりコーン紙などの振動板を駆動して音を再生する。スピーカの下には本発明の振動防止支持装置１００が置かれており、スピーカからの振動の絶縁を行う。
【００４３】
図８に本発明の振動防止支持装置１００の配置位置を示す。図８は３点支持の場合を示しており、スピーカ５０からの前面に１個、裏面に２個配置される。
【００４４】
図９に従来の円錐型のスパイクを用いた振動防止支持装置と本発明の双曲線又は指数関数曲線を稜線に持つ回転曲面形状のホーン部分４２を用いた振動防止支持装置間で音質の比較をした結果を示す。◆の線で示すパワーアンプ、■の線で示すスピーカ、○の線で示すＣＤプレーヤには、図３に示すと同一形状で真鍮により作製したホーン部分４１のスパイク４０を適用した。
【００４５】
また、試聴結果は従来との比較を示している。×の線で示すラインアンプについてはポリエチレンによる従来の円錐型のホーン部分（頂角４０度）とナイロン６を用いた本発明のスパイクを用いた振動防止支持装置との比較を示している。グラフは、４名のオーディオショップ店員による評価結果の平均を示しており、評価は５段階評価とした。また、値は本発明の振動防止支持装置の評価値から従来の振動防止支持装置の評価値を引いた値を示している。グラフで０は両者に差が無く、正の値は本発明の振動防止支持装置の音質がよく、負の値は本発明の振動防止支持装置が劣ることを示している。ＣＤプレーヤで若干従来の振動防止支持装置のほうが優位な面はあるが、他の機器では、本発明の振動防止支持装置の方がかなりのレベルで上回っている。
【００４６】
次に、図１０において音像定位について比較した結果の一例を示す。本発明の振動防止支持装置（図１０（Ａ）（Ｄ））、従来の振動防止支持装置（図１０（Ｂ）（Ｅ）、未使用（図１０（Ｃ）（Ｆ））の３ケースについて、スピーカの下に適用した結果を示す。図１０（Ａ）、（Ｂ）、（Ｃ）は被験者ＳとスピーカＰ、Ｐとを上から見た平面図で、音像定位の前後と左右の変化を示す。図１０（Ｄ）、（Ｅ）、（Ｆ）は被験者ＳとスピーカＰ、Ｐとを正面から見た正面図で、音像定位の上下と左右の変化を示す。
【００４７】
尚、各楕円はスピーカＰ、Ｐから出る音像認識位置を示すもので、Ｖｎはバイオリンの音像位置、Ｔｉｍはティンパニの音像位置、Ｃａｓはカスタネットの音像位置、Ｔｒはトランペットの音像位置を示す。
【００４８】
スピーカを直接床の上に設置した場合は、図１０（Ｃ）や図１０（Ｆ）に示される様に、音像は相対的に前に出てきて低い位置に認識される。これに対し、従来の円錐型のホーンを用いた振動防止支持装置なら、図１０（Ｂ）および図１０（Ｅ）に示すように左右の広がりや音像位置の上下感、前後の位置関係の明確さがはっきりしてきている。これだけでも十分な効果と言えるのであろうが、本発明の振動防止支持装置を用いるなら、図１０（Ａ）および図１０（Ｄ）に示されるように、楽器に位置が上下方向および前後の距離感において明確に認識しうることが示される。
【００４９】
図１１に、同じく音像定位について比較した結果の一例を示す。本発明の振動防止支持装置（図１１（Ａ）（Ｄ））、従来の振動防止支持装置（図１１（Ｂ）（Ｅ）、未使用（図１１（Ｃ）（Ｆ））の３ケースについて、電力増幅器（パワーアンプ）の下に適用し、電力増幅器でアンプされた音をスピーカに加え、スピーカで再生した結果を示す。図１１（Ａ）、（Ｂ）、（Ｃ）は被験者ＳとスピーカＡ、Ａとを上から見た平面図で、音像定位の前後と左右の変化を示す。図１１（Ｄ）、（Ｅ）、（Ｆ）は被験者ＳとスピーカＰ、Ｐとを正面から見た正面図で、音像定位の上下と左右の変化を示す。
【００５０】
パワーアンプを振動吸収ボード上にプラスチック製の足を介して設置した場合では、図１１（Ｃ）および図１１（Ｆ）に示すように、音像は相対的に前に出てきて低い位置に認識され、中央よりに集まる傾向にある。これに対し、従来の振動防止支持装置を用いるなら図１１（Ｂ）および図１１（Ｅ）に示すように、左右の広がりや音像位置の上下感、前後の位置関係の明確さがはっきりしてきている。本発明の振動防止支持装置を用いるなら図１１（Ａ）および図１１（Ｄ）に示すように、さらに上下方向および前後の距離感や広がりが明確になっていることが示される。
【図面の簡単な説明】
【００５１】
【図１】本発明の振動防止支持装置の構造を示す断面図である。
【図２】本発明の振動防止支持装置の（Ａ）スパイク受けの平面図、（Ｂ）スパイク受けの断面図である。
【図３】本発明の振動防止支持装置の（Ａ）スパイクの平面図、（Ｂ）スパイクの断面図である。
【図４】本発明の振動防止支持装置のインピーダンス特性図である。
【図５】本発明の振動防止支持装置のインピーダンス特性の差を示す特性図である。
【図６】本発明の振動防止支持装置と従来の振動防止支持装置とのエネルギー伝達率を示す特性図である。
【図７】本発明の振動防止支持装置を適用したスピーカを示す断面図である。
【図８】本発明の振動防止支持装置を適用したスピーカの振動防止支持装置の配置を示す平面図である。
【図９】本発明の振動防止支持装置と従来の振動防止支持装置の音改善の比較を示す図である。
【図１０】スピーカに振動防止支持装置を用いた音像定位置の比較を示す模型図で（Ａ）は本発明の振動防止支持装置を用いた平面図、（Ｂ）従来の振動防止支持装置を用いた平面図、（Ｃ）振動防止支持装置を用いなかった場合の平面図、（Ｄ）は本発明の振動防止支持装置を用いた正面図、（Ｂ）従来の振動防止支持装置を用いた正面図、（Ｃ）振動防止支持装置を用いなかった場合の正面図である。
【図１１】アンプに振動防止支持装置を用いた音像定位置の比較を示す模型図で（Ａ）は本発明の振動防止支持装置を用いた平面図、（Ｂ）従来の振動防止支持装置を用いた平面図、（Ｃ）振動防止支持装置を用いなかった場合の平面図、（Ｄ）は本発明の振動防止支持装置を用いた正面図、（Ｂ）従来の振動防止支持装置を用いた正面図、（Ｃ）振動防止支持装置を用いなかった場合の正面図である。
【図１２】従来の円錐スパイクを用いた振動防止支持装置の構造を示す断面図である。
【符号の説明】
【００５２】
３０    スパイク受け
３２    底部
４０    スパイク
４１    円柱部分
４２    ホーン部分
ＳＯ    先端部
ＳＨ    開口部
【図１】
2010041641.tif 000004
【図２】
2010041641.tif 000005
【図３】
2010041641.tif 000006
【図４】
2010041641.tif 000007
【図５】
2010041641.tif 000008
【図６】
2010041641.tif 000009
【図７】
2010041641.tif 000010
【図８】
2010041641.tif 000011
【図９】
2010041641.tif 000012
【図１０】
2010041641.tif 000013
【図１１】
2010041641.tif 000014
【図１２】
2010041641.tif 000015